(57)【要約】     【課題】  比較的薄い床下地板を直接支持でき、かつ、取扱いが容易な建物の床束を提供する。    【解決手段】  床束１は、下筒１１と上筒１２と上フランジ１３とからなる。下筒１１の下端には、下フランジ１４が付いていて、コンクリート面４に固着される。下筒１１と上筒１２とは螺合していて、上筒１２の上端に設けられた工具結合孔２１に工具を挿込んで回転させて、床束の高さを調節する。上フランジ１３は上筒１２に回転自在に嵌合していて、そのフランジ面３３は広幅で、かつ、面上には多数の接着剤用の孔３４が設けられている。上筒１２には外爪２２が、また上フランジの筒部３１には内爪３２がそれぞれ付いていて、これらは嵌合状態で互に係合する。【選択図】  図１
2005054523.tif 000002
【特許請求の範囲】
【請求項１】
互に螺合した下筒及び上筒と、上筒に回転自在に嵌合した上
フランジとからなり、下筒の下端には下フランジが付いていて、コンクリート面
に固着され、上筒の上端には工具結合孔が設けられていて、ここから上筒に回転
が加えられ、上フランジのフランジ面は広幅になっていて、面上には多数の接着
剤用の孔が形成されている建物の床束。
【請求項２】
下フランジの中央に釘孔が設けられ、ここに釘を打ち込んで
、下フランジをコンクリート面に固着する請求項１記載の建物の床束。
【請求項３】
上筒の外面に外爪が設けられ、上フランジの筒部の内面には
内爪が設けられていて、嵌合状態で、この外爪と内爪とは互に係合する請求項１
記載の建物の床束。
【発明の詳細な説明】
【技術分野】
【０００１】
本発明は、ベタ基礎のコンクリート地面や、建物各階のコンクリート床面の上
に載置し、更にその上に床下地板及びフローリング板を設置して、床組みするの
に用いる床束に関する。
【背景技術】
【０００２】
大引や根太などの下地材の下面を床束で支持し、一応の床組み完了後に、床束
の高さを調節して、床の水平レベルを調整できるようになった床束は従来既に提
案されている（例えば、特許文献１参照）。この床束は、下フランジと、支持ボ
ルトと、下地材受けとからなり、下フランジはコンクリート面に固着され、この
下フランジに支持ボルトが回転自在に立設され、更に、この支持ボルトに下地材
受けが螺合した構成である。そして、支持ボルトを回転させることにより、下地
材受けを昇降させて、下地材の高さを調節するようになっている。また、支持ボ
ルトの回転操作は床組み後に上面から行えるようになっており、かつ、下地材受
けの上面には突出物が存在しない構成になっている。
【０００３】
【特許文献１】特開２０００−３０３６６４号公報
【発明の開示】
【発明が解決しようとする課題】
【０００４】
ところが、前記従来の床束は、大引や根太などの下地材を支持する形式であり
、床下地板を直接、支持する形式ではない。この為、床組み構成が複雑になると
いう問題がある。その上、下フランジに支持ボルトを回転自在に立設する為の構
成が複雑で、部品点数が増えて、製造コストが高くなる欠点がある。
【０００５】
本発明は、このような点に鑑み、床下地板を直接、支持でき、かつ、床下地板
には比較的薄い板を使用できる床束を提供するにある。更に、本発明は、構造や
取扱いが簡単で、廉価に実施可能な床束を提供するにある。
【課題を解決するための手段】
【０００６】
本発明の床束の技術的手段は、互に螺合した下筒及び上筒と、上筒に回転自在
に嵌合した上フランジとからなり、下筒の下端には下フランジが付いていて、コ
ンクリート面に固着され、上筒の上端には工具結合孔が設けられていて、ここか
ら上筒に回転が加えられ、上フランジのフランジ面は広幅になっていて、面上に
は多数の接着剤用の孔が形成されていることにある。
【０００７】
更に、下フランジの中央に釘孔を設けて、ここに釘を打込んで、下フランジを
コンクリート面に固着するようにしてもよい。また、上筒の外面に外爪を設け、
他方、上フランジの筒部の内面に内爪を設けて、嵌合状態でこの外爪と内爪とを
互に係合させるようにしてもよい。
【発明の効果】
【０００８】
本発明の床束は、下筒をコンクリート面に固着させて、上筒の上端の工具結合
孔に適当な工具を挿し込んで、上筒に回転を加えれば、床束の高さが変わり、床
の水平レベルの調整が可能である。また、この調整操作は、床下地板の取付後に
、上方から行えるので、施工時の取扱いに優れている。更に、上フランジのフラ
ンジ面は大きいので、比較的薄い床下地板でも充分に使用可能であり、かつ、フ
ランジ面には多数の孔が形成されていて、接着剤の乗りが良いので、床下地板と
上フランジとを強固に固着可能である。更に、本発明の床束は、構造が簡単で、
製造コストが低く、廉価に実施可能である上に、現場での施工性に富み、実用上
、非常に優れたものである。
【０００９】
請求項２のものは、下フランジの中央を釘止めするので、下フランジとコンク
リート面とを強固に固着可能である。
【００１０】
請求項３のものは、外爪と内爪との係合によって、嵌合状態の保持を行うので
、簡単な構成で、上フランジの上筒からの抜け出しを防止できる。
【発明を実施するための最良の形態】
【００１１】
本発明の床束を実施するための最良の形態を、図面の実施例に基づいて説明す
る。図１において、１は床束、２はコンクリート面、３は床下地板、４はフロー
リング板である。なお、コンクリート面２とは、地面にコンクリートを打設した
ベタ基礎や、建物の２階以上のコンクリートスラブ面などである。
【００１２】
床束１は、互に螺合する下筒１１と上筒１２、及び上筒１２に套嵌させた上フ
ランジ１３とからなる。下筒１１と上筒１２との螺合部のネジ形状は、上下方向
の荷重に耐えるように鋸歯状になっている。下筒１１の下端に下フランジ１４が
一体に形成されている。下フランジ１４には、図３に示されるように、中央に釘
孔１５が、更にフランジ面には複数の釘孔１６と、接着剤用の多数の孔１７とが
設けられている。従って、下フランジ１４は、コンクリート面２の所定の箇所に
載置した上で、中央の釘孔１５に釘１８を打込む他、釘孔１６に釘を打込んだり
、接着剤を塗布したりして、コンクリート面２にしっかりと固着可能である。
【００１３】
上筒１２の上端には、６角の工具結合孔２１が設けられていて、ここに工具を
挿し込んで回転を加え、上下の筒の螺合位置を変えて、床束の高さを調節する。
更に、上筒１２の外表面には、外爪２２が突設されている。
【００１４】
上フランジ１３の下面中央部には、筒部３１が一体に形成されていて、この筒
部３１は外筒１２と嵌合する。また、筒部３１の下端には内爪３２が設けられて
いて、嵌合状態で、この内爪３２は外筒１２の外爪２２と係合する。従って、嵌
合状態で、外筒１２と上フランジ１３とは、回転は可能であるが、上下方向への
位置移動はなく、抜け出しは防止される。更に、上フランジ１３のフランジ面３
３は広幅で大きくなっていて、図示例での直径は約２００ｍｍである。またフラ
ンジ面３３には、図４に示される如く、接着剤を付着し易くする為の多数の落し
込み孔３４が形成されている。
【００１５】
次に、上記の床束１の使用法について説明する。先ず、コンクリート面２の所
定の箇所に床束１を載置する。通常、床束１の載置ピッチは４００〜５００ｍｍ
である。所定の箇所に載置したら、次に下フランジ１４をコンクリート面２に固
着させる。この為には、釘１８を中心の釘孔１５に打込む他、釘孔１６に釘を打
込んだり、接着剤で下フランジ１４とコンクリート面２とを接着したりして、下
フランジ１４をコンクリート面２に強固に固定する。続いて、上フランジ１３の
上面に接着剤を塗布した上で、床下地板３を載置し、両者をしっかりと固着する
。なお、床下地板３には、上フランジ１３から突出する工具結合孔２１の為に、
適当な孔などを設けておくことが必要である。また、上フランジ１３の面積が大
きいので、床下地板３としては、比較的薄いものでよく、市販の薄い合板を用い
ることができる。
【００１６】
このようにして、一応の床組みが完了すると、次に床の水平レベルの調節を行
う。工具結合孔２１に適当な工具を挿し込んで、回転を加え、各床束１の高さを
調節して、床の水平レベルを整える。このレベル調整後に、フローリング板４を
床下地板３の上に載置して、固着する。なお、水平レベルの調整は、一応の床組
み後に、上方から行えるので、施工上、極めて都合がよい。
【００１７】
本発明の床束は前記の実施例に限定されるものではなく、特許請求の範囲の記
載の範囲内で自由に変形実施可能である。特に、下筒１１や上筒１２、更には上
フランジ１３の詳細な構成は自由である。
【図面の簡単な説明】
【００１８】
【図１】使用状態の断面図。
【図２】分離状態の断面図。
【図３】下フランジの半底面図。
【図４】上フランジの半平面図。
【符号の説明】
【００１９】
１          床束
１１        下筒
１２        上筒
１３        上フランジ
１４        下フランジ
１５        釘孔
１６        釘
２１        工具結合孔
２２        外爪
３１        筒部
３２        内爪
３３        フランジ面
３４        接着剤用の孔
【図１】
2005054523.tif 000003
【図２】
2005054523.tif 000004
【図３】
2005054523.tif 000005
【図４】
2005054523.tif 000006